(57)【要約】【課題】負荷制御システムにおいて、外来ノイズやフェージングが発生しても容易且つ確実に負荷を開閉可能にする。【解決手段】照明制御システムは、アンテナに出力する空中線電力が互いに異なる３つの通信モードを切り替えて点灯信号を電波により送信可能なリモートコントローラと、点灯信号を受信可能なスイッチとを有している。リモートコントローラの操作ボタンが押下操作されると、制御部の制御の下、無線送信回路部がいずれかの送信モードで点灯信号を送信する。制御部は、直前の操作が行われた後所定時間内に再度操作が行われて継続する一連の連続操作において、送信モードを、初回の操作が行われたときに第１送信モードとし、第２回目及び第３回目の操作が行われたときにそれぞれ第２送信モード、第３送信モードと変更する。自動的に空中線電力を変更するので、外来ノイズやフェージングがある環境下でも確実に通信可能になる。【選択図】図３
2010056612.tif 000002
【特許請求の範囲】
【請求項１】
信号を電波により送信する送信器と、電波を受信する機能を有し、負荷に接続されて少なくとも当該負荷のオン・オフを制御する制御機能を備えた受信器とを有し、
前記送信器は、アンテナと、前記アンテナから信号を送信する無線送信回路部と、ユーザにより操作される操作部と、前記操作部に加えられた操作に基づいて前記無線送信回路部を制御し、所定の信号を送信させる制御部とを備え、
前記受信器は、アンテナと、前記アンテナを用いて電波を受信し信号を抽出する無線受信回路部と、電源から前記負荷への給電路を開閉する負荷制御回路部と、前記無線受信回路部で受信された信号に応じて前記負荷制御回路の動作制御を行う制御部とを備え、
ユーザにより加えられた前記操作部の所定の操作に応じて前記負荷が動作するように構成された負荷制御システムにおいて、
前記無線送信回路部は、
前記アンテナに出力する空中線電力が互いに異なる複数の送信モードを切り替えて前記アンテナから信号を送信可能に構成されており、
前記操作部の所定の操作が行われた後、所定時間内に再度前記所定の操作が行われる場合において、最初の所定の操作が行われたとき、前記複数の送信モードのうち所定の送信モードで同一の所定の信号を送信し、その後直前の操作から所定時間内に前記所定の操作が行われる度に、前記複数の送信モードのうち、少なくとも直前の操作に応じて信号を送信した送信モードとは異なる送信モードで前記所定の信号を送信することを特徴とする負荷制御システム。
【請求項２】
前記無線送信回路部は、直前の操作から所定時間後に前記操作部の所定の操作が行われたとき、前回に前記所定の信号の送信を行った送信モードで前記所定の信号の送信を行うことを特徴とする請求項１に記載の負荷制御システム。
【発明の詳細な説明】
【技術分野】
【０００１】
本発明は、送信器から電波により送信した信号を受信器により受信し、当該信号に応じて負荷を制御する負荷制御システムに関する。
【背景技術】
【０００２】
近年、送信器から送信された無線信号を壁面などの造営面に配設されたスイッチにより受信して、スイッチが受信した信号に基づいて照明装置などの開閉動作を行うように構成された負荷制御システムが用いられている（例えば、特許文献１参照）。このような負荷制御システムにおいては、無線通信を利用することにより、例えば高機能なスイッチを、当該負荷制御システムの他の部分との間の配線作業等を行うことなく、既設のスイッチに替えて又は新規に、容易に配設することができる。このような無線通信を利用する負荷制御システムにおいて、用途によって、電波による無線通信により送信器とスイッチとの間で信号を送受信する方が、赤外光により送受信する場合よりも望ましい場合がある。これは、無線通信によれば、赤外光による場合よりも、電波の透過性や回折性等により、スイッチに信号を送信可能になる送信器のエリアが広くなる等のメリットがあるからである。しかしながら、このように電波による無線通信の場合でも、送信器とスイッチとの間で適正に通信を行うことができなくなる場合があり、その場合、例えばユーザが送信器を操作したとしてもユーザの意図したとおりに負荷が開閉されなくなる。
【０００３】
このような問題は、例えば、フェージングの影響や、外来ノイズの影響により発生することがある。すなわち、送信器とスイッチとの位置関係や周囲にある障害物等の位置形状等に応じて無線伝搬路で反射波が発生すること等によりフェージングが発生すると、スイッチに届く電波の強度が低くなり、送信器から送信された信号を受信しにくくなる。また、送信器とスイッチとの間での通信を行うチャンネルと同じ周波数帯域でノイズとなる電波を出す電子機器等がスイッチの近くにある場合、そのノイズの影響により、送信器から送信された信号を受信しにくくなる。このような場合、通信を可能にするためには、例えば、空中線電力を大きくすることが考えられるが、空中線電力を変更すると、電力消費が大きくなるという問題が生じる。また、ユーザが切替スイッチ等を切り替えることにより送信器の空中線電力の大きさ変更することができるようにすることもできるが、その場合、設定変更を行うためのユーザの負担が増えるという問題が生じる。
【特許文献１】特開２００６−２５３０９２号公報
【発明の開示】
【発明が解決しようとする課題】
【０００４】
本発明は、上記問題点を鑑みてなされたものであり、外来ノイズが存在したりフェージングが発生する環境下においても容易且つ確実に負荷を開閉させることが可能な、送信器の消費電力が小さい負荷制御システムを提供することを目的とする。
【課題を解決するための手段】
【０００５】
上記目的を達成するため、請求項１の発明は、信号を電波により送信する送信器と、電波を受信する機能を有し、負荷に接続されて少なくとも当該負荷のオン・オフを制御する制御機能を備えた受信器とを有し、前記送信器は、アンテナと、前記アンテナから信号を送信する無線送信回路部と、ユーザにより操作される操作部と、前記操作部に加えられた操作に基づいて前記無線送信回路部を制御し、所定の信号を送信させる制御部とを備え、前記受信器は、アンテナと、前記アンテナを用いて電波を受信し信号を抽出する無線受信回路部と、電源から前記負荷への給電路を開閉する負荷制御回路部と、前記無線受信回路部で受信された信号に応じて前記負荷制御回路の動作制御を行う制御部とを備え、ユーザにより加えられた前記操作部の所定の操作に応じて前記負荷が動作するように構成された負荷制御システムにおいて、前記無線送信回路部は、前記アンテナに出力する空中線電力が互いに異なる複数の送信モードを切り替えて前記アンテナから信号を送信可能に構成されており、前記操作部の所定の操作が行われた後、所定時間内に再度前記所定の操作が行われる場合において、最初の所定の操作が行われたとき、前記複数の送信モードのうち所定の送信モードで同一の所定の信号を送信し、その後直前の操作から所定時間内に前記所定の操作が行われる度に、前記複数の送信モードのうち、少なくとも直前の操作に応じて信号を送信した送信モードとは異なる送信モードで前記所定の信号を送信するものである。
【０００６】
請求項２の発明は、請求項１の発明において、前記無線送信回路部は、直前の操作から所定時間後に前記操作部の所定の操作が行われたとき、前回に前記所定の信号の送信を行った送信モードで前記所定の信号の送信を行うものである。
【発明の効果】
【０００７】
請求項１の発明によれば、例えばユーザにより行われた操作部の操作に応じて所定の信号の送信を行ったとき、外来ノイズやフェージングの影響により通信が失敗しても、その後所定時間内に行われた操作に応じて送信するときには、前回送信時とは空中線電力が異なる送信モードで信号送信を行うので、通信が失敗する可能性を低くすることができる。例えば通信が失敗し負荷が開閉されなかったときのようにユーザが所定時間内に繰り返し操作部を操作する可能性の高い場合に、自動的にその操作に応じて送信モードを変更して信号送信を行うことができるので、手動により送信モードの設定を変更するなどの煩わしい作業は必要なく、容易且つ確実に負荷を開閉させることができる。また、空中線電力が大きい送信モードで常時の信号送信を行わないので、送信器の電力消費を小さく抑えることができる。
【０００８】
請求項２の発明によれば、最初の操作が行われたとき、最後に通信が成功したと考えられる、前回の信号送信を行った送信モードで信号送信を行うので、例えば初回の操作に応じて常に同じ送信モードで送信する場合と比較して、当該操作時に通信が失敗する可能性を低くすることができ、より確実に且つ速やかに通信可能にすることができる。
【発明を実施するための最良の形態】
【０００９】
以下、本発明の第１実施形態について図面を参照して説明する。図１は、本実施形態に係る負荷制御システムの一例として、照明制御システムを示す。照明制御システム１は、照明装置１５０と、無線信号を電波により送信するリモートコントローラ（送信器）１５１と、例えば商用交流電源である電源（図２に示す）５０と照明装置１５０に電線を介して直列接続されたスイッチ（受信器）１５２等で構成されている。リモートコントローラ１５１には、ユーザにより操作可能な操作ボタン（操作部）１５１ａ等が設けられている。また、スイッチ１５２は、後述するようにリモートコントローラ１５１から送信され受信した無線信号に応じて照明装置１５０を点灯又は消灯させる。すなわち、この照明制御システム１は、リモートコントローラ１５１からスイッチ１５２への単方向通信方式を採用している。ここで、本実施形態においては、負荷として、白熱灯からなる照明装置１５０を例示するが、これに限定する主旨ではなく、蛍光灯及び蛍光灯電子安定器などの他の照明装置の他、照明装置以外の負荷であってもよい。また、スイッチ１５２は、例えば外部からユーザが操作可能な操作ハンドルを有しており、ユーザが、リモートコントローラ１５１の操作ボタン１５１ａの操作の他、この操作ハンドルを直接に操作することにより、照明装置１５０を点灯又は消灯させることができるように構成されていてもよい。
【００１０】
図２は、リモートコントローラ１５１及びスイッチ１５２のブロック構成を示す。リモートコントローラ１５１は、操作ボタン１５１ａのほか、アンテナ１１と、アンテナ１１から信号を送信する無線送信回路部１２と、リモートコントローラ１５１の動作を制御する制御部１３と、それらの電気回路に電力を供給する電池１４等を備えている。リモートコントローラ１５１は、例えば、各部が筐体内に収納された箱体状に構成されている。ユーザは、リモートコントローラ１５１を把持したまま操作ボタン１５１ａの操作等を行うことができる。
【００１１】
操作ボタン１５１ａは、例えば、照明装置１５０の点灯状態／消灯状態を切り替える操作を行うことができるように設けられている押ボタンである。操作ボタン１５１ａは、ユーザにより操作されると、操作信号を制御部１３に送出する。制御部１３は、マイクロコンピュータ等で構成されており、無線送信回路部１２等の制御を行う。制御部１３は、操作信号が入力されたときに、その操作信号に応じて、照明装置１５０の点灯／消灯を切り替えるための点灯信号を生成する。無線送信回路部１２は、点灯信号等が制御部１３から入力されると、その点灯信号等を変調及び増幅し、アンテナ１１から所定の周波数の無線チャンネル（以下、チャンネルと称する）の搬送波に重畳して送信する。このように、リモートコントローラ１５１は、操作ボタン１５１ａに加えられた押下操作に基づいて、点灯信号を電波により送信する。なお、リモートコントローラ１５１には、操作ボタン１５１ａの他、さらに別の操作ボタン等が設けられており、制御部１３が、操作が加えられた操作ボタンに応じて照明装置１５０を制御するための制御信号等を生成するように構成されていてもよい。このように構成することにより、ユーザが、照明装置１５０の動作をさらに多様に遠隔操作することができる。
【００１２】
スイッチ１５２は、例えばループアンテナ等のアンテナ２１と、アンテナ２１により電波を受信する無線受信回路部２２と、スイッチ１５２の動作を制御する制御部２３と、照明装置１５０に接続され照明装置１５０への給電路を開閉する負荷制御回路部２４と、例えば１００Ｖの電源５０から照明装置１５０に電力を供給する電源回路２５等を備えている。スイッチ１５２は、例えば、合成樹脂製の矩形箱状の器体を有するワイドハンドル形連用スイッチ（ＪＩＳ  Ｃ  ８３０４参照）の２個モジュール寸法に形成されており、規格に準拠した取付枠等に取り付けられて、壁面内に埋め込まれているスイッチボックス内に収められ、配設される。なお、スイッチ１５２は、上記のようにして壁面内に埋め込まれるものに限られず、例えば壁面や天井等に取り付けられるものであってもよい。
【００１３】
無線受信回路部２２は、制御部２３の制御の下、所定の周波数のチャンネルの電波を受信する。負荷制御回路部２４は、電源回路２５から照明装置１５０への給電路を開閉するスイッチング素子（例えば、トライアックなど）を有する。制御部２３は、マイクロコンピュータ等で構成されており、無線受信回路部２２で受信された信号に応じて、負荷制御回路部２４のスイッチング素子のスイッチング制御等を行う。制御部２３は、例えば、無線受信回路部２２で点灯信号が受信されたときには、照明装置１５０に給電する状態と給電しない状態とを切り替えるスイッチング制御を行う。電源回路２５は、制御部２３等に動作電源を供給する。なお、スイッチ１５２において、負荷制御回路部２４が照明装置１５０への給電路を開成しているときには、電源回路２５は、コンデンサに充電してスイッチ１５２の動作電源を生成する。他方、負荷制御回路部２４が電源回路２５から照明装置１５０への給電路を閉成しているときには、照明装置１５０の点灯状態に影響を及ぼさない範囲で定期的に給電路を所定の時間だけ開成してコンデンサに充電して、所定の時間外の閉成時にはコンデンサから放電して動作電源を生成する。これにより、スイッチ１５２は、電源回路２５と照明装置１５０とを２線で直列接続することが可能となっている。なお、この種の電源回路２５は従来から公知（例えば、特開２０００−３５７４４３号公報等を参照）であるから、詳細な構成及び動作についての図示並びに説明は省略する。また、電源回路２５の構成はこれに限られず、電源５０からスイッチ１５２に常時給電するようにしてもよい。
【００１４】
照明制御システム１では、リモートコントローラ１５１の操作ボタン１５１ａの押下操作がなされると、スイッチ１５２の制御部２３が、当該操作に応じて、照明装置１５０への電力供給をオン／オフする。すなわち、ユーザにより操作ボタン１５１ａが押操作されてリモートコントローラ１５１から点灯信号が送出される度に、スイッチ１５２の制御部２３の制御により負荷制御回路部２４のスイッチング素子のスイッチングが行われ、照明装置１５０の点灯と消灯が切り替えられる。これにより、ユーザが、スイッチ１５２から離れた位置から、照明装置１５０の点灯状態と消灯状態とを切り替えることができる。
【００１５】
ここで、本実施形態において、無線送信回路部１２は、アンテナ１１に出力する空中線電力が互いに異なる例えば３つの送信モードを切り替えて、アンテナ１１から信号を送信可能に構成されている。送信モードは、例えば、標準的な所定の大きさの空中線電力で送信するものと、上記所定の大きさより大きい空中線電力で出力するものと、上記所定の大きさより小さい空中線電力で出力するものとすることができる。なお、この３つの送信モードそれぞれの空中線電力の大きさは、予定されるリモートコントローラ１５１の使用場所やスイッチ１５２との距離、及び電力消費量などを鑑みて、任意に設定すればよい。
【００１６】
無線送信回路部１２は、例えば、制御部１３の制御に基づいて、信号を送信する際に用いる送信モードの変更を、以下に示すような所定の操作態様で操作ボタン１５１ａが操作されたときに行うように構成されている。この送信モード変更動作は、例えば、操作ボタン１５１ａの押下操作が行われた後、所定時間内（例えば、１秒以内）に再度操作ボタン１５１ａの押下操作が行われる場合に、その操作ボタン１５１ａの各押下操作に応じて行われる。すなわち、本実施形態において、直前の操作ボタン１５１ａの押下操作が行われた後、所定時間内に再度操作ボタン１５１ａの操作が行われた場合に、各操作により、いわば一連の連続操作が構成されることになり、送信モード変更動作は、この連続操作を構成する操作ボタン１５１ａの各押下操作に応じて行われる。なお、一連の連続操作は、最後の操作から所定時間が経過するまでに操作が行われなかったときには終了する。従って、連続操作が継続していない場合すなわち前回操作ボタン１５１ａが押下操作されてから所定時間が経過している場合に、操作ボタン１５１ａの操作が１回なされた場合、この操作は新たな連続操作の初回の操作となるが、その後所定時間に操作が行われない場合、当該連続操作は結局構成されないことになる。 
【００１７】
以下に、本実施形態における送信モードの変更動作の動作態様について説明する。図３は、送信モードの変更動作の動作態様の一例を示す。図に示す動作例は、ある時刻から操作ボタン１５１ａが５回ほど押下操作された（図に＃１乃至＃５として示す）場合のものである。この動作例において、最初に操作ボタン１５１ａの押下操作（＃１）があってから所定時間内に２回目の操作（＃２）がなされ、２回目の操作から所定時間内に３回目の操作（＃３）がなされている。また、３回目の操作から所定時間内を過ぎてから４回目の操作（＃４）がなされた後、所定時間内に５回目の操作（＃５）がなされている。このとき、最初の操作すなわち初回の操作から３回目までの操作は、一連の連続操作を構成し、４回目と５回目の操作は、その連続操作とは異なる連続操作を構成する。この５回の操作ボタン１５１ａの押下操作のうち、初回から３回目までの操作は、例えば、照明装置１５０を点灯させるための同一の点灯操作であり、４回目と５回目の操作は、例えば、照明装置１５０を消灯させるための同一の消灯操作である。
【００１８】
制御部１３は、同一の連続操作において、操作ボタン１５１ａの押下操作が行われる度に３つの送信モードを順に切り替えて信号を送信する。すなわち、まず、初回の操作（＃１）が行われたとき、図に示すように、制御部１３は、点灯信号を生成すると共に、送信モードを、例えば最も空中線電力が小さい第１送信モード（ＰＷＲ１）とし、無線送信回路部１２は、第１送信モードで信号送信を行う。その後、例えば照明装置１５０が点灯しなかったことなどにより初回の操作から所定時間内に操作が行われた場合、すなわち当該連続操作において２回目の操作（＃２）が行われると、制御部１３は、直前の操作に応じて信号を送信した第１送信モードとは異なり、第１送信モードの次に空中線電力が小さい第２送信モード（ＰＷＲ２）で送信するように送信モードを切り替える。これにより、無線送信回路部１２は、第２送信モードで信号送信を行う。さらに、２回目の操作から所定時間内に操作が行われた場合、すなわち当該連続操作において３回目の操作（＃３）が行われると、同様に、直前の操作に応じて信号を送信した第２送信モードとは異なる第３送信モード（ＰＷＲ３）で信号送信が行われる。なお、この例では１つの連続操作として３回の押下操作を含むが、例えば４回以上の操作が含まれるときには、制御部１３は、３回目の操作に対応する第３送信モードから、操作がなされる度に、第１送信モード、第２送信モード、第３送信モード、…等と順に送信モードを変更し、異なる空中線電力で信号送信させる。
【００１９】
また、制御部１３は、この例において４回目の操作（＃４）のように新たに連続操作が始まるときには、当該操作はその連続操作において初回の押下操作であるので、例えば第１送信モードで信号送信を行う。そして、その同一の連続操作を構成するように、所定時間内に５回目の操作（＃５）すなわち当該連続操作において２回目の操作が行われたときには、第２送信モードでの信号送信が行われる。
【００２０】
このように、本実施形態においては、一連の連続操作において、押下操作がある度に、３つの送信モードを切り替えて、前回信号を送信したときの空中線電力とは異なる空中線電力で信号送信を行う。そのため、前回送信時にフェージング等の影響により通信が失敗しても、スイッチ１５２のアンテナ２１において前回送信時とは反射波や搬送波の強度が異なるため、通信が失敗する可能性を低くすることができる。また、前回送信時に外来ノイズの影響により通信が失敗しても、スイッチ１５２のアンテナ２１において前回送信時とは搬送波の強度が異なるため、通信が失敗する可能性を低くすることができる。さらにまた、常に大きな空中線電力で送信しなくてもよいため、常に大きな空中線電力で信号送信を行うようなリモートコントローラと比較して、リモートコントローラ１５１の電力消費を小さく抑えることができる。特に、本実施形態においては、送信モードを、空中線電力が順に大きくなるように変更していくため、これらの効果をより顕著に得ることができる。また、例えば通信が失敗し照明装置１５０が点灯／消灯しなかったときのようにユーザが所定時間内に繰り返し操作ボタン１５１ａを操作する可能性の高い場合に、自動的にその操作に応じて送信モードを変更して信号送信を行うことができるので、手動により送信モードの設定を変更するなどの煩わしい作業は必要なく、容易且つ確実に照明装置１５０を点灯／消灯させることができる。
【００２１】
なお、本実施形態において、送信モードの数は、３つに限らず、２つであっても、又は４つ以上であってもよい。図４は、ｎ種以上の送信モード（ＰＷＲ１，ＰＷＲ２，…，ＰＷＲｎ，…）１１ａ，１１ｂ，…で信号を送受信可能な場合の送信モードの変更動作の動作態様の一例を示す。このとき、例えば初回（＃１）からｎ回目（＃ｎ）まで同一の連続操作を構成するように押下操作がなされたとすると、無線送信回路部１２は、先ず、初回の操作に応じて第１送信モードで信号送信を行う。その後、無線送信回路部１２は、押下操作毎に、制御部１３の制御により第２送信モード、第３送信モード、…、第ｎ送信モードと順に空中線電力を変更して送信モードを変更し、信号送信を行う。また、例えばｎ回目から所定時間を超える時間を空けて（ｎ＋１）回目の押下操作があったときには、それまでの連続操作とは別の連続操作が開始されることになるので、制御部１３の制御の下、当該操作に対応して、第１送信モードでの信号送信が行われる。このように送信モードの数が多い場合でも、同様に、自動的に送信モードを変更し、確実に通信可能にすることができる。
【００２２】
また、上述の実施形態において、信号送信に用いる送信モードの変更態様は、各連続操作について常に同様の順で変更されるものに限られず、例えば前回の連続操作で変更した順番とは逆の順番に送信モードを変更するようにしてもよい。すなわち、操作ボタン１５１ａの操作が行われる度に、複数の送信モードのうち、少なくとも直前の操作に応じて信号を送信した送信モードとは異なる送信モードで所定の信号を送信するように構成されていればよい。また、新たな連続操作の初回に信号送信を行う送信モードは、上述のような常に同じ所定の送信モードでなくてもよい。すなわち、例えば、前回の連続操作が仮に続いていたとした場合に次に変更される送信モードを、初回の操作に対応する信号送信を行う所定の送信モードとするように構成してもよい。さらにまた、特に、同一の連続操作において操作ボタン１５１ａの操作回数が無線送信回路部１２が送信可能な送信モードの数より大きくなった場合には、それ以降に操作ボタン１５１ａの操作に対応して、最も大きな空中線電力の送信モード等に送信モードを固定して送信するようにしてもよい。これにより、外来ノイズがある環境下でより速やかに通信可能にすることができる。
【００２３】
次に、本発明の第２実施形態に係る照明制御システムについて説明する。以下に示す実施形態において、照明装置１５０、リモートコントローラ１５１、及びスイッチ１５２の各構成要素は、上述の第１実施形態と同様であり、同一の符号を付して説明する。第２実施形態においては、制御部１３及び無線送信回路部１２により行われるリモートコントローラ１５１の送信モード変更動作が、上述の第１実施形態と相違する。
【００２４】
図５は、第２実施形態におけるリモートコントローラ１５１の送信モードの変更動作の動作態様の一例を示す。第２実施形態において、無線送信回路部１２は、上記第１実施形態と同様の送信モード変更動作に加えて、制御部１３の制御の下、直前の操作から所定時間後に操作ボタン１５１ａの操作が行われたとき、前回に信号送信を行った送信モードで、当該操作に対応する信号送信を行うように構成されている。換言すると、一連の連続操作において初回の操作が行われたとき、無線送信回路部１２は、前回の連続操作において最後に信号送信を行った送信モードで、当該操作に対応する信号送信を行う。例えば、図に示すように、前回の連続操作において第１送信モードで信号送信を行い、その後所定時間が経過し当該連続操作が終了していた場合、新たな連続操作の初回の操作（＃１）が行われると、無線送信回路部１２は、第１送信モードで信号送信を行う。その後、当該連続操作で第２回目の操作（＃２）が行われると、上述の第１実施形態と同様に送信モードが変更され、無線送信回路部１２は、第２送信モードで信号送信を行う。第２回目の操作が行われてから所定時間が経過し、その後、さらに別の新たな連続操作の初回の操作（＃３）が行われると、制御部１３の制御により、無線送信回路部１２は、前回の連続操作の最後に信号送信した送信モードである第２送信モードで信号送信を行う。
【００２５】
このように、第２実施形態においては、最初の操作が行われたとき、最後に通信が成功したと考えられる送信モードで信号送信を行うので、例えば常に同じ送信モードで送信する場合と比較して当該操作時に通信が失敗する可能性を低くすることができ、より確実に通信可能にすることができる。
【００２６】
ここで、第２実施形態において、例えば、最後の操作があってから数日乃至数週の所定期間が経過した場合、それ以後に操作があったときには、最も空中線電力が小さな送信モードで信号送信を行うように構成してもよい。これにより、より確実にリモートコントローラ１５１の省電力化を図りつつ、確実に通信可能にすることができる。
【００２７】
なお、本発明は上記実施形態の構成に限定されるものではなく、発明の趣旨を変更しない範囲で適宜に種々の変形が可能である。例えば、操作ボタンは、押ボタンに限られず、タッチセンサを備えていたり、他の形式のスイッチを備えているものでもよい。また、操作ボタン１５１ａは、オンボタンとオフボタンを有しており、制御部１３が、操作されたボタンに対応する操作信号が入力される度に照明装置１５０を点灯するための点灯信号または消灯するための消灯信号を生成するように構成されていてもよい。この場合、操作ボタン１５１ａのうち点灯又は消灯のいずれか同一の操作が所定時間内に繰り返し操作された場合に継続する連続操作において、送信モードの変更が行われるようにすればよい。
【００２８】
また、本発明は、上述のようにユーザが把持して操作可能なリモートコントローラ１５１にのみ適用可能なものではない。図９は、例えば、リモートコントローラ１５１に替えて、壁面に配設されユーザが操作可能な操作ボタン２５１ａを有する送信器２５１を用いた照明制御システム２０１の一例を示す。送信器２５１の構成は上述のリモートコントローラ１５１の構成とほぼ同様であって、ユーザは、壁面に配設された送信器２５１の操作ボタン２５１ａを操作することにより、照明装置１５０の点灯／消灯を行うことができる。このような構成であっても、送信器２５１において、同一の連続操作で自動的に送信モードの変更を行うようにすることにより、外来ノイズやフェージング等の発生がある環境下においても、確実に照明装置１５０の点灯／消灯を行うことができる。なお、送信器２５１は、１つのスイッチ１５２に対して複数個併用して使用可能にされていてもよい。
【００２９】
なお、本発明は、上述のように照明装置のオン・オフを制御する照明制御システムのほか、送信器から送信された信号に応じて動作をオン・オフする空調システムや給湯システム、又は送信器から送信された所定の信号を受信して通報動作を行う防犯システムなど、他の用途に用いられる負荷制御システムにおいても用いることが可能である。すなわち、その負荷制御システムの動作を信号を電波により送信することにより遠隔制御するために用いられるような送信器において、上述のような態様で送信モードの変更を自動的に行って信号を送信するように構成することにより、外来ノイズやフェージングがある環境下においても、通信の失敗を防止し、容易且つ確実に負荷の制御を行うことができる。
【図面の簡単な説明】
【００３０】
【図１】本発明の第１実施形態に係る照明制御システムの一例を示す図。
【図２】上記照明制御システムのリモートコントローラ及びスイッチの構成を示すブロック図。
【図３】上記リモートコントローラの信号送信態様の一例を示す図。
【図４】上記リモートコントローラの信号送信態様の一変形例を示す図。
【図５】本発明の第２実施形態に係る照明制御システムのリモートコントローラの信号送信態様の一例を示す図。
【図６】上記照明制御システムの一変形例の構成を示す図。
【００３１】
１，２０１  照明制御システム（負荷制御システム）
１１  （送信器の）アンテナ
１２  無線送信回路部
１３  （送信器の）制御部
２１  （受信器の）アンテナ
２２  無線受信回路部
２３  （受信器の）制御部
２４  負荷制御回路部
２５  電源回路
５０  電源
１５０  照明装置（負荷）
１５１  リモートコントローラ（送信器）
１５１ａ，２５１ａ  操作ボタン（操作部）
１５２  スイッチ（受信器）
２５１  送信器
【図１】
2010056612.tif 000003
【図２】
2010056612.tif 000004
【図３】
2010056612.tif 000005
【図４】
2010056612.tif 000006
【図５】
2010056612.tif 000007
【図６】
2010056612.tif 000008